(57)【要約】【課題】  長期間にわたって持続性および耐久性に優れながら、再施工時には、簡易かつ確実に薬剤を散布することにできる、防蟻構造を提供すること。【解決手段】  防蟻構造１が、基礎コンクリート２と、固形製剤５と、薬剤を固形製剤５に散布するための通路７とを備え、固形製剤５または通路７が、基礎コンクリート２に配置され、固形製剤５と通路７とが、対向配置される。この防蟻構造１では、固形製剤５が施工される。そのため、施工当初から、長期間にわたって持続的に防蟻効果を維持することができる。その結果、再施工までの期間を長く確保することができる。一方、再施工時には、通路７に薬剤を供給することにより、施工された固形製剤５に薬剤を浸透させることができる。その結果、再施工時において、簡易かつ確実に薬剤を散布して、施工当初からの防蟻効果を再度維持することができる。【選択図】図１
2010037809.tif 000002
【特許請求の範囲】
【請求項１】
基礎コンクリートと、固形製剤と、薬剤を前記固形製剤に散布するための通路とを備え、
前記固形製剤または前記通路が、前記基礎コンクリートに配置され、
前記固形製剤と前記通路とが、対向配置されていることを特徴とする、防蟻構造。
【請求項２】
さらに、前記基礎コンクリートを被覆する外板を備え、
前記固形製剤が、前記外板に配置され、
前記通路が、前記基礎コンクリートに配置されていることを特徴とする、請求項１に記載の防蟻構造。
【請求項３】
前記基礎コンクリートが、鉛直方向に延びる第１基礎および前記第１基礎から水平方向に延びる第２基礎を備え、
前記外板は、前記第１基礎に対して第２基礎が延びる側の反対側に配置され、
前記通路が、前記第１基礎の上端部に配置されていることを特徴とする、請求項２に記載の防蟻構造。
【請求項４】
前記基礎コンクリートが、鉛直方向に延びる第１基礎および前記第１基礎から水平方向に延びる第２基礎を備え、
前記外板は、前記第１基礎に対して第２基礎が延びる側の反対側に配置され、
前記通路が、前記第１基礎と前記第２基礎との境界に配置されていることを特徴とする、請求項２に記載の防蟻構造。
【請求項５】
前記基礎コンクリートが、鉛直方向に延びる第１基礎および前記第１基礎から水平方向に延びる第２基礎を備え、
前記外板は、前記第１基礎に対して第２基礎が延びる側の反対側に配置され、
前記通路が、前記第２基礎の下端部に配置されていることを特徴とする、請求項２に記載の防蟻構造。
【発明の詳細な説明】
【技術分野】
【０００１】
本発明は、防蟻構造、詳しくは、建物の基礎を防蟻するための防蟻構造に関する。
【背景技術】
【０００２】
従来より、建物をシロアリによる食害から防護するために、種々の対策が検討されている。
例えば、噴出孔が設けられたポリブテンからなるパイプを、建築物の床下などに配設し、パイプ内に薬液（液剤）を圧入噴射して、床下を防虫するパイプ構造が提案されている（例えば、特許文献１参照。）。
【０００３】
また、側方開口の溝型カバー体の肩部に注薬路を貫設するとともに該注薬路に間隔をおいてカバー体内外に開口する注薬拡散孔を穿設し、カバー体内にはスポンジ状の吸薬マットを装入し、吸薬マットに吸収される薬剤で木質土台を白アリ防除する、白アリ防除装置が提案されている（例えば、特許文献２参照。）。
【特許文献１】特公平７−３０８９号公報
【特許文献２】特公昭５４−３１０８号公報
【発明の開示】
【発明が解決しようとする課題】
【０００４】
しかるに、通常の白アリ防除では、施工当初から数年後に、薬剤を再施工する必要があるところ、特許文献１および２に記載の白アリ防除構造（装置）では、薬剤を液剤として施工するので、施工当初から比較的短期間で再施工する必要がある。
一方、施工当初において薬剤を粒剤などの固形製剤として施工すれば、長期間にわたる持続性および耐候性を確保できる一方で、再施工時には、施工した固形製剤を一旦除去した後、薬剤を再度散布するため、非常に手間がかかる。
【０００５】
本発明の目的は、長期間にわたって持続性および耐久性に優れながら、再施工時には、簡易かつ確実に薬剤を散布することのできる、防蟻構造を提供することにある。
上記目的を達成するために、本発明者らは、再施工時には、薬剤を簡易かつ確実に散布することのできる防蟻構造について鋭意検討したところ、施工時において、固形製剤に対して薬剤を散布できる通路を形成すれば、再施工時にはその通路から薬剤を散布することにより、防蟻効果を長期にわたって維持できるという知見を見出し、さらに研究を進めた結果、本発明を完成するに至った。
【０００６】
すなわち、本発明は、
（１）  基礎コンクリートと、固形製剤と、薬剤を前記固形製剤に散布するための通路とを備え、
前記固形製剤または前記通路が、前記基礎コンクリートに配置され、
前記固形製剤と前記通路とが、対向配置されていることを特徴とする、防蟻構造、
（２）  さらに、前記基礎コンクリートを被覆する外板を備え、
前記固形製剤が、前記外板に配置され、
前記通路が、前記基礎コンクリートに配置されていることを特徴とする、前記（１）に記載の防蟻構造、
（３）  前記基礎コンクリートが、鉛直方向に延びる第１基礎および前記第１基礎から水平方向に延びる第２基礎を備え、
前記外板は、前記第１基礎に対して第２基礎が延びる側の反対側に配置され、
前記通路が、前記第１基礎の上端部に配置されていることを特徴とする、前記（２）に記載の防蟻構造、
（４）  前記基礎コンクリートが、鉛直方向に延びる第１基礎および前記第１基礎から水平方向に延びる第２基礎を備え、
前記外板は、前記第１基礎に対して第２基礎が延びる側の反対側に配置され、
前記通路が、前記第１基礎と前記第２基礎との境界に配置されていることを特徴とする、前記（２）に記載の防蟻構造、
（５）  前記基礎コンクリートが、鉛直方向に延びる第１基礎および前記第１基礎から水平方向に延びる第２基礎を備え、
前記外板は、前記第１基礎に対して第２基礎が延びる側の反対側に配置され、
前記通路が、前記第２基礎の下端部に配置されていることを特徴とする、前記（２）に記載の防蟻構造
を提供するものである。
【発明の効果】
【０００７】
本発明の防蟻構造では、固形製剤が施工される。そのため、施工当初から、長期間にわたって持続的に防蟻効果を維持することができる。その結果、再施工までの期間を長く確保することができる。
一方、再施工時には、通路に薬剤を供給することにより、施工された固形製剤に薬剤を浸透させることができる。その結果、再施工時において、簡易かつ確実に薬剤を散布して、施工当初からの防蟻効果を再度維持することができる。
【０００８】
その結果、長期間にわたって持続性および耐久性に優れながら、再施工時には、簡易かつ確実に薬剤を散布することができる。
【発明を実施するための最良の形態】
【０００９】
図１は、本発明の防蟻構造の一実施形態（通路が第１基礎の上端部に配置される形態）を示す部分斜視図、図２は、図１に示す防蟻構造の側断面図である。
この防蟻構造１は、べた基礎形式の基礎構造部に適用され、このようなべた基礎形式の基礎構造部として、基礎コンクリート２は、鉛直方向に延びる第１基礎３および第１基礎３から水平方向に延びる第２基礎４を備えている。
【００１０】
より具体的には、第１基礎３は、鉛直方向に延びる厚肉の平板状に形成されている。また、第２基礎４は、第１基礎３の下方に配置され、水平方向に延びる厚肉の平板状に形成される水平部１１と、水平部１１から下方に向かって延びる鉛直部１２とを一体的に備えている。
水平部１１は、第１基礎３の下面と接触するように配置されており、また、水平部１１の外側面（図２における左側）と、第１基礎３の外側面とが鉛直方向に沿って面一となるように配置されている。
【００１１】
鉛直部１２は、その外側面が、水平部１１の外側面と鉛直方向に沿って面一となるように配置されている。また、鉛直部１２は、断面視において、下方に向かうに従って幅狭となる略台形状に形成されている。
また、この防蟻構造１は、基礎コンクリート２を被覆する外板としての、断熱材９を備えている。具体的には、断熱材９は、第１基礎３から第２基礎４にわたって、その外側面を被覆しており、水平方向において、第２基礎４の水平部１１が延びる方向と直交する方向（以下、奥行方向という。）に沿って、基礎コンクリート２（第１基礎３および第２基礎４）の外側面と接触するように配置されている。
【００１２】
なお、断熱材９は、その上面が、切り欠き部１０（後述）の切欠底面１３と面一となるように、配置されている。
そして、基礎コンクリート２には、切り欠き部１０が形成されている。
切り欠き部１０は、第１基礎３の上端部において、第１基礎３の外側端部が、奥行方向に沿って、断面視矩形状に切り欠かれることにより形成されている。このように切り欠かれることにより、切り欠き部１０は、切欠底面１３と切欠側面１４とで区画される。
【００１３】
そして、この切り欠き部１０には、奥行方向に沿って、管６が配置されている。管６は、切り欠き部１０内に収容される円筒形状に形成されており、薬剤を固形製剤５（後述）に散布するための通路７を形成する。
これによって、通路７が基礎コンクリート２に配置される。
つまり、通路７は、切り欠き部１０に配置され、これによって、通路７は、基礎コンクリート２（切り欠かれていない状態）を、基礎コンクリート２が延びる奥行方向に投影したときに、基礎コンクリート２と重なるように配置される。
【００１４】
管６は、例えば、ポリエチレン、ポリプロピレン、ポリアクリロニトリル、ポリブテンなどの樹脂（プラスティック）、例えば、ステンレス、鉄などの金属などの材料から形成されている。
また、管６の外周壁には、厚み方向に貫通する穴８が形成されている。
穴８は、再施工時において、通路７に供給される薬剤を、固形製剤５に供給するための供給口であって、管６の周方向および奥行方向にわたって、互いに間隔を隔てて複数配置されており、略円柱状に開口されている。また、管６には、図示しないが、再施工時において通路７に薬剤を供給するための、略円筒状の注入管が複数接続されている。
【００１５】
管６の寸法は、その内径が、例えば、１〜５０ｍｍ、好ましくは、５〜２０ｍｍであり、厚みが、例えば、０．５〜５ｍｍ。好ましくは、１〜３ｍｍである。奥行方向における各穴８間の間隔は、１〜５００ｍｍ、好ましくは、１０〜１００ｍｍであり、各穴８の内径は、０．１〜１０ｍｍ、好ましくは、０．１〜３ｍｍである。
このような基礎コンクリート２を形成するには、まず、第２基礎４の形状に対応する型枠を形成した後、型枠内に、第２基礎４を打設する。次いで、第１基礎３の形状に対応する型枠を形成した後、型枠内に、第１基礎を打設する。なお、例えば、第１基礎３の打設時において、切り欠き部１０の形成位置に目地棒を設置し、第１基礎３を形成した後、目地棒を除去することにより、切り欠き部１０を形成する。
【００１６】
その後、第１基礎３および第２基礎４の外側面に、断熱材９を設ける。なお、断熱材９は、その上面が、切り欠き部１０の切欠底面１３と面一となるように配置される。そして、断熱材９は、図示しないが、通常、化粧モルタルなどによって、その外側面がコーティングされている。
このようにして形成される基礎コンクリート２の上面には、図示しないが、通常、木製の土台が設置され、例えば、家屋などの建築物が建てられる。
【００１７】
そして、この防蟻構造１では、固形製剤５は、上記の断熱材９の上端部（上面）において、奥行方向に沿って配置されており、通路７と対向配置されている。
すなわち、固形製剤５と通路７とは、奥行方向に沿って並行するように、水平方向において隣接配置されている。
固形製剤５を配置するには、例えば、固形製剤５を施工するための混練物を調製し、次いで、これを、上記した箇所に施工し、その後、混練物を硬化させる。
【００１８】
固形製剤５を施工するための混練物は、施工後において硬化される硬化性の混練物であって、このような混練物は、例えば、防蟻組成物および硬化液を含有している。
防蟻組成物は、例えば、防蟻成分と、水硬性成分と、土砂成分とを含有している。
防蟻成分は、例えば、ネオニコチノイド系化合物、ピレスロイド系化合物、有機塩素系化合物、有機リン系化合物、カルバメート系化合物、ピロール系化合物、フェニルピラゾール系化合物、オキサジアジン系化合物、セミカルバゾン系化合物、植物またはその処理物あるいはその誘導体などが挙げられる。
【００１９】
上記した防蟻成分は、単独使用または２種以上を併用することができる。好ましくは、ネオニコチノイド系化合物が挙げられる。
ネオニコチノイド系化合物としては、例えば、（Ｅ）−１−（２−クロロ−１，３−チアゾール−５−イルメチル）−３−メチル−２−ニトログアニジン（一般名：クロチアニジン）、Ｎ−アセチル−Ｎ−（２−クロロチアゾール−５−イル）メチル−Ｎ’−メチル−Ｎ”−ニトログアニジン、Ｎ−（２−クロロチアゾール−５−イル）メチル−Ｎ−メトキシカルボニル−Ｎ’−メチル−Ｎ”−ニトログアニジン、１−（６−クロロ−３−ピリジルメチル）−Ｎ−ニトロイミダゾリン−２−イリデンアミン（一般名：イミダクロプリド）、３−（２−クロロチアゾール−５−イルメチル）−５−［１，３，５］オキサジアジナン−４−イルインデン−Ｎ−ニトロアミン（一般名：チアメトキサム）、（ＲＳ）−１−メチル−２−ニトロ−３−（テトラヒドロ−３−フリルメチル）グアニジン（一般名：ジノテフラン）、（Ｅ）−Ｎ１−［（６−クロロ−３−ピリジル）メチル］−Ｎ２−シアノ−Ｎ１−メチルアセトアミジン（一般名：アセタミプリド）などが挙げられる。
【００２０】
これらネオニコチノイド系化合物は、単独使用または２種類以上併用することができる。ネオニコチノイド系化合物のうち、好ましくは、クロチアニジンが挙げられる。
ピレスロイド系化合物としては、例えば、アレスリン、ペルメトリン、トラロメトリン、ビフェントリン、アクリナトリン、アルファシペルメトリン、シフルトリン、シフェノトリン、プラレトリン、エトフェンプロックス、シラフルオフェン、フェンバレレートなどが挙げられ、好ましくは、ペルメトリン、ビフェントリン、シフェノトリン、エトフェンプロックス、シラフルオフェンが挙げられる。
【００２１】
有機塩素系化合物としては、例えば、ケルセンなどが挙げられる。
有機リン系化合物としては、例えば、ホキシム、ピリダフェンチオン、フェニトロチオン（ＭＥＰ）、テトラクロルビンホス、ジクロフェンチオン、プロペタンホスなどが挙げられる。
カルバメート系化合物としては、例えば、カルバリル、フェノブカルブ（ＢＰＭＣ）、プロポクスルなどが挙げられる。
【００２２】
ピロール系化合物としては、例えば、クロルフェナピルなどが挙げられる。
フェニルピラゾール系化合物としては、例えば、フィプロニルなどが挙げられる。
オキサジアジン系化合物としては、例えば、インドキサカルブなどが挙げられる。
セミカルバゾン系化合物としては、例えば、α−（α，α，α−トリフルオロ−ｍ−トルオイル）−ｐ−トリニトリル４−（ｐ−トリフルオロメトキシフェニル）セミカルバゾンなどが挙げられる。
【００２３】
植物またはその処理物あるいはその誘導体としては、例えば、特開２００２−３０７４０６号公報、特開２００３−２５２７０８号公報、特開２００５−７４７７６号公報に記載されたものが挙げられる。
また、これら防蟻成分は、粉剤または粒剤として調製される。なお、粉剤としては、粉末状の（溶媒に分散されていない）マイクロカプセル剤を含んでいてもよい。
【００２４】
水硬性成分は、防蟻成分と土砂成分とを分散させて、硬化性の防蟻組成物を形成できるものであれば限定されず、モルタルまたはコンクリートの形成材料として用いられている種々の水硬性成分が挙げられる。
具体的には、例えば、気硬性セメント（例えば、気硬性単味セメント、気硬性混合セメントなど）や、水硬性セメント（例えば、水硬性単味セメント、水硬性混合コメントなど）が挙げられる。
【００２５】
気硬性単味セメントとしては、例えば、焼セッコウ、無水セッコウプラスターなどのセッコウ類、例えば、消石灰、ドロマイトプラスターなどの石灰類などが挙げられる。気硬性混合セメントとしては、例えば、マグネシアセメントなどが挙げられる。
水硬性単味セメントとしては、例えば、ポルトランドセメント、早強ポルトランドセメントなどのポルトランドセメント類、例えば、アルミナセメント、石灰アルミナセメントなどのアルミナセメント類などが挙げられる。水硬性混合コメントとしては、例えば、石灰スラグセメント、石灰火山灰セメントなどの石灰混合セメント類、例えば、高炉セメント、シリカセメント、ポゾランセメント、フライアッシュセメントなどの混合ポルトランドセメント類、例えば、高硫酸塩スラグセメント類などが挙げられる。
【００２６】
これら気硬性セメントおよび水硬性セメントは、単独使用または２種以上併用することができる。
土砂成分としては、例えば、砂類（例えば、けい砂、川砂、海砂、浜砂、山砂など）、土類（例えば、花崗岩の風化により形成された真砂土、例えば、赤土、黒土、しらすなどの火山灰土、例えば、河川の堆積土など）、各種園芸用土（例えば、赤玉土、鹿沼土、荒木田土、腐葉土、桐生砂など）、火成岩（安山岩、花崗岩、流紋岩など）、変成岩（珪岩、晶質石灰岩など）、堆積岩（泥岩、砂岩など）などが挙げられる。
【００２７】
上記した土砂成分のうち、取扱い性およびコスト面から、好ましくは、壌質砂土などの砂土類、壌土、砂壌土、微砂質壌土などの壌土類が挙げられ、また、具体的な材質としては、好ましくは、真砂土、けい砂が挙げられる。
また、上記した土砂成分は、廃物の破砕物で構成されていてもよく、廃物の破砕物と、上記した土砂成分とで構成されていてもよい。
【００２８】
廃物には、人工物および天然物の廃物が含まれる。人工物としては、例えば、人工の建造物または構造物（例えば、レンガ、かわら、コンクリート建材、モルタル建材、コンクリートブロック、コンクリート道路、アスファルト道路、窓ガラスなど）、日用品（植木鉢、コップ、陶器など）などが挙げられる。天然物としては、例えば、貝殻（アサリ、シジミ、ハマグリ、ホタテの貝殻など）、骨類（ウシ、ブタ、ニワトリの骨など）などが挙げられる。また、上記した廃物は、単独使用または２種以上併用することができる。
【００２９】
防蟻組成物において、各成分の含有割合は、防蟻組成物の総量に対して、防蟻成分が、例えば、０．００１〜５０重量％、好ましくは、０．００１〜１０重量％であり、水硬性成分が、例えば、１〜９９重量％、好ましくは、１〜８０重量％であり、土砂成分が、例えば、１〜９９重量％、好ましくは、２０〜９９重量％である。
なお、防蟻組成物には、必要により、公知の添加剤を添加することができ、そのような添加剤としては、例えば、分散剤、界面活性剤、沈降防止剤、ポリエステル樹脂、エポキシ樹脂などの樹脂、オキシカルボン酸やケイフッ化物などの硬化遅延剤、アルミン酸ナトリウム、カルシウムなどの硬化促進剤、ポリプロピレン、ポリエチレン、アラミド樹脂などのコンクリート補強剤などが挙げられる。
硬化液は、防蟻組成物を硬化させるときに用いられる液体であって、具体的には、例えば、水、ポリマーを含有している液体などが挙げられる。  ポリマーを含有している液体におけるポリマーとしては、混練物を、上記した箇所に施工した場合に、防蟻組成物とともに硬化し得るポリマーが挙げられる。
【００３０】
具体的には、例えば、エチレン−ビニルアルコール（ＥＶＡ）樹脂、アクリル系樹脂（例えば、アクリル酸エステル、メタクリル酸エステルなど。）、スチレン−ブタジエンゴム（ＳＢＲ）などが挙げられる。
また、ポリマーを含有している液体の溶媒または分散液としては、例えば、水などが挙げられる。なお、ポリマーを含有している液体は、具体的には、上記したポリマーを含有する分散液、懸濁液、乳濁液として、より具体的には、例えば、樹脂エマルションやゴムラテックスとして供給される。なお、樹脂エマルションやゴムラテックスの固形分濃度は、例えば、１０〜７０重量％、好ましくは、３０〜６０重量％である。
【００３１】
防蟻組成物と硬化液との配合割合は、上記した混練物が硬化して固形製剤５を形成できれば限定されず、例えば、硬化液に含まれる水、溶媒または分散液について、その配合割合は、防蟻組成物１００重量部に対して、好ましくは、１５〜６５重量部であり、より好ましくは、１５〜４５重量部である。
上記した防蟻組成物と硬化液とを混練することにより、固形製剤５を施工するための混練物が調製される。
【００３２】
次いで、上記した混練物を、上記した箇所に、断面視略矩形状に堆積するように施工する。
混練物の施工としては、例えば、上記した混練物の塗布、散布、吹付けなどが挙げられる。  上記した混練物の施工の具体的方法としては、特に限定されず、例えば、鏝、へらなどの用具で上記した混練物などを塗布する方法、噴霧器、散布器、圧送ポンプなどの機械・機器で上記した混練物などを散布する方法、スプレーガンなどの吹付け器で上記した混練物などを吹き付ける方法などが挙げられる。
【００３３】
また、この混練物の施工において、混練物の施工量を、防蟻成分の量が、例えば、０．００２〜３００００ｇ／ｍ２（施工箇所の面積）、好ましくは、０．００２〜１５０００ｇ／ｍ２（施工箇所の面積）となるように設定する。
次いで、この方法では、施工された混練物を硬化させる。
混練物の硬化では、特に制限されず、例えば、施工された混練物を空気中に放置することにより、固化させる。放置時間は、硬化液に含まれる水などの配合割合に応じて適宜選択され、例えば、１時間〜２８日間、好ましくは、３時間〜２４時間である。
【００３４】
また、固形製剤５として、上記した混練物を硬化させたものに代えて、粉剤または粒剤として製剤された防蟻成分を、固化させず、そのまま施工することもできる。
これによって、固形製剤５を施工することができる。
なお、固形製剤５は、例えば、上記した混練物を、所定の形状（例えば、断面視略矩形状のブロックなど）に成形して、硬化させ、得られる固形製剤５を、上記の箇所に配置することもできる。
【００３５】
そして、上記した固形製剤５の施工から、所定期間経過した時に、薬剤を再施工する。
固形製剤５の施工当初から、上記した薬剤の再施工までの期間は、施工箇所および固形製剤５に応じて適宜選択され、例えば、３年以上、好ましくは、固形製剤５が持続性および耐久性を有することから、５年以上、通常、２０年以内、好ましくは、１０年以内に設定される。
【００３６】
再施工は、薬剤を通路７に供給することにより、薬剤を固形製剤５に散布する。
再施工における薬剤は、上記した防蟻成分と同様の防蟻成分が挙げられる。また、この薬剤における防蟻成分は、管６の通路７を流動できる製剤形態であれば、特に限定されず、例えば、フロアブル剤、マイクロカプセル剤（水などの溶媒に分散されたもの）、担体担持剤などの懸濁剤、例えば、油剤、乳剤などの液剤などとして、調製される。好ましくは、これらのうち、防蟻成分を、溶媒に分散されたマイクロカプセル化剤として調製する。
【００３７】
薬剤において、防蟻成分の配合割合は、例えば、０．０１〜５０重量％、好ましくは、０．０５〜２重量％である。
薬剤を通路７に供給するには、例えば、図示しないが、注入管などから薬剤を注入する。薬剤の注入速度は、通常、例えば、５０〜２０００ｍｌ／分、好ましくは、５０〜１０００ｍｌ／分である。また、薬剤の注入速度は、点滴のように極端に小さくして、薬剤を徐々に注入することもでき、より具体的には、薬剤の注入速度が、例えば、１０〜６００ｍｌ／時間、好ましくは、３０〜２００ｍｌ／時間に設定される。
【００３８】
また、この薬剤の供給において、公知の発泡剤を薬剤に含有させることもできる。このような発泡剤は、例えば、発泡作用を有する界面活性剤であって、例えば、アルキル硫酸塩、ポリオキシエチレンアルキルエーテル硫酸塩などが挙げられる。また、発泡剤の配合割合は、薬剤１００重量部に対して、例えば、１〜５重量部、好ましくは、１〜３重量部である。発泡剤が含有された薬剤を用いて、これを発泡させながら注入することにより、薬剤の流動性を高めながら、薬剤を通路７に円滑に供給して、固形製剤５に円滑に散布することができる。
【００３９】
この再施工によって、注入された薬剤が、管６の通路７に至り、穴８を通過して、管６と対向配置される固形製剤５に散布され、固形製剤５全体に浸透される。
なお、再施工において、薬剤の散布量を、防蟻成分の量が、例えば、０．００１〜５０重量％、好ましくは、０．０１〜２重量％となるように設定する。
そして、この防蟻構造１によれば、固形製剤５が施工される。そのため、施工当初から、長期間にわたって持続的に防蟻効果を維持することができる。その結果、再施工までの期間を長く確保することができる。
【００４０】
一方、再施工時には、通路７に薬剤を供給することにより、施工された固形製剤５に薬剤を浸透させることができる。その結果、再施工時において、簡易かつ確実に薬剤を散布して、施工当初からの防蟻効果を再度維持することができる。
その結果、長期間にわたって持続性および耐久性に優れながら、再施工時には、簡易かつ確実に薬剤を散布して、施工当初の防蟻効果を再度維持することができる。
【００４１】
また、この防蟻構造１では、再施工時には、薬剤を、通路７の穴８から、管６と対向配置されている固形製剤５に向けて散布するため、薬剤が空気中に飛散しくい。そのため、再施工時において、薬剤を効率的に散布できるとともに、建物の居住者や作業者への影響を低減させることができる。
さらに、この防蟻構造１では、通路７を、基礎コンクリート２に形成される切り欠き部１０内に形成するため、通路７を設置するための空間を別途確保する必要がなく、効率よく通路７を配置することができ、また、通路７によって、確実に薬剤を散布することができる。
【００４２】
なお、上記した説明では、断熱材９を、切欠底面１３と面一となるように配置したが、例えば、断熱材９を、その上面が切欠底面１３よりも少し下となる位置に配置することもできる。
また、上記した説明では、固形製剤５を、断面視略矩形状に形成したが、例えば、断面視略三角形状に形成することもできる。このような場合には、例えば、断熱材９の上端部における、断熱材９の内側端部（通路７側）を、奥行方向に沿って、断面視略三角形状に切り欠き、切り欠き部を形成する。そして、切り欠き部に、固形製剤５を形成する。これにより、固形製剤５と、再施工時に薬剤を固形製剤５に散布するための通路７とを対向配置させることができる。
【００４３】
図３は、本発明の防蟻構造の他の実施形態（通路が第１基礎と第２基礎との境界に配置される形態）を示す側断面図である。なお、上記した各部に対応する部材については、以降の各図面において、同一の参照符号を付し、その詳細な説明を省略する。
図１に示す防蟻構造１では、通路７を第１基礎３の上端部に配置したが、例えば、通路７を第１基礎３と第２基礎４との境界に配置することもできる。
【００４４】
図３において、この防蟻構造１は、第１基礎３および第２基礎４を備える基礎コンクリート２と、固形製剤５と、薬剤を固形製剤５に散布するための通路７とを備えており、通路７が、第１基礎３と第２基礎４との境界に配置されている。また、固形製剤５と通路７とは対向配置されている。
まず、図３において実線で示される、通路７が第１基礎３の下端部に配置される形態について説明する。
【００４５】
この実施形態においては、第１基礎３の下端部に、切り欠き部１０が形成され、切り欠き部１０に、管６が配置されている。
切り欠き部１０は、第１基礎３の下端部において、第１基礎３の外側端部が、奥行方向に沿って、断面視矩形状に切り欠かれることにより形成されている。このように切り欠かれることにより、切り欠き部１０は、切欠上面１５と切欠側面１４とで区画される。
【００４６】
第１基礎３の下端部に切り欠き部１０を形成するには、具体的には、例えば、第１基礎３の打設時において、第１基礎３の下端部（第２基礎４の上面）に目地棒を設置し、第１基礎３を打設した後、目地棒を除去する。
そして、このように形成された切り欠き部１０には、奥行方向に沿って、管６が配置され、管６により通路７が形成される。
【００４７】
この実施形態において、固形製剤５と通路７とを対向配置させるには、例えば、まず、第２基礎４の外側面に、断熱材９を、断熱材９の上面と、第２基礎４の上面とが面一となるように配置する。次いで、断熱材９の上部に、上記した混練物を、例えば、切欠上面１５の高さに達するように施工し、硬化させ、固形製剤５を形成する。これにより、第１基礎３の下端部において、固形製剤５と通路７とを対向配置させる。なお、固形製剤５の上部には、さらに、断熱材９を、断熱材９の上面と、第１基礎３の上面とが面一となるように配置する。
【００４８】
次に、図３において仮想線で示される、通路７が第２基礎４の上端部に配置される形態について説明する。
この実施形態においては、第２基礎４の上端部（すなわち、水平部１１の上端部）に、切り欠き部１０が形成され、切り欠き部１０に、管６が配置されている。
切り欠き部１０は、第２基礎４の上端部において、第２基礎４の外側端部が、奥行方向に沿って、断面視矩形状に切り欠かれることにより形成されている。このように切り欠かれることにより、切り欠き部１０は、切欠底面１３と切欠側面１４とで区画される。
【００４９】
第２基礎４の上端部に切り欠き部１０を形成するには、具体的には、例えば、第２基礎４の打設時において、第２基礎４の上端部に目地棒を設置し、第２基礎４を打設した後、目地棒を除去する。
そして、このように形成された切り欠き部１０には、奥行方向に沿って、管６が配置され、管６により通路７が形成される。
【００５０】
この実施形態において、固形製剤５と通路７とを対向配置させるには、例えば、まず、第２基礎４の外側面に、断熱材９を、断熱材９の上面と、切り欠き部１０の切欠底面１３とが面一となるように配置する。次いで、断熱材９の上部に、上記した混練物を、例えば、第２基礎４の上面の高さに達するように施工し、硬化させ、固形製剤５を形成する。これにより、第２基礎４の上端部において、固形製剤５と通路７とを対向配置させる。なお、固形製剤５の上部には、さらに、断熱材９を、断熱材９の上面と、第１基礎３の上面とが面一となるように配置する。
【００５１】
図４は、本発明の防蟻構造の他の実施形態（通路が第２基礎の下端部に配置される形態）を示す側断面図である。
図１に示す防蟻構造１では、通路７を第１基礎３の上端部に配置したが、例えば、通路７を第２基礎４の下端部に配置することもできる。
図４において、この防蟻構造１は、第１基礎３および第２基礎４を備える基礎コンクリート２と、固形製剤５と、薬剤を固形製剤５に散布するための通路７とを備えており、通路７が、第２基礎４の下端部に配置されている。また、固形製剤５と通路７とは対向配置されている。
【００５２】
より具体的には、この実施形態においては、第２基礎４の下端部（すなわち、鉛直部１２の下端部）に、切り欠き部１０が形成され、切り欠き部１０に、管６が配置されている。
切り欠き部１０は、第２基礎４の下端部において、第２基礎４の外側端部が、奥行方向に沿って、断面視矩形状に切り欠かれることにより形成されている。このように切り欠かれることにより、切り欠き部１０は、切欠上面１５と切欠側面１４とで区画される。
【００５３】
第２基礎４の下端部に切り欠き部１０を形成するには、具体的には、例えば、第２基礎４の打設時において、第２基礎４の下端部に目地棒を設置し、第２基礎４を打設した後、目地棒を除去する。
そして、このように形成された切り欠き部１０には、奥行方向に沿って、管６が配置され、管６により通路７が形成される。
【００５４】
この実施形態において、固形製剤５と通路７とを対向配置させるには、例えば、第２基礎４の外側面に、上記した混練物を、例えば、切欠上面１５の高さに達するように施工し、硬化させ、固形製剤５を形成する。これにより、第２基礎４の下端部において、固形製剤５と通路７とを対向配置させる。なお、固形製剤５の上部には、さらに、断熱材９を、断熱材９の上面と、第１基礎３の上面とが面一となるように配置する。
【００５５】
図５は、本発明の防蟻構造の他の実施形態（通路が第１基礎の上端部、第１基礎と第２基礎との境界、および、第２基礎の下端部に配置される形態）を示す側断面図である。
上記においては、通路７が、第１基礎３の上端部、第１基礎３と第２基礎４との境界、または、第２基礎４の下端部に配置される形態について説明したが、通路７の数は特に限定されず、例えば、通路７を、第１基礎３の上端部、第１基礎３と第２基礎４との境界、および／または、第２基礎４の下端部に、複数配置することもできる。
【００５６】
図５において、この防蟻構造１は、第１基礎３および第２基礎４を備える基礎コンクリート２と、固形製剤５と、薬剤を固形製剤５に散布するための通路７とを備えており、通路７が、第１基礎３の上端部、第１基礎３と第２基礎４との境界、および、第２基礎４の下端部に配置されている。また、各固形製剤５と各通路７とは対向配置されている。
より具体的には、この実施形態においては、第１基礎３の上端部と、第１基礎３の下端部と、第２基礎４の下端部（すなわち、鉛直部１２の下端部）とに、切り欠き部１０が形成され、切り欠き部１０に、管６が配置されている。
【００５７】
切り欠き部１０は、それぞれ上記した方法により形成され、切欠底面１３または切欠上面１５と、切欠側面１４とで区画される。
そして、このように形成された切り欠き部１０には、奥行方向に沿って、管６が配置され、管６により通路７が形成される。なお、各固形製剤５と各通路７とを対向配置させるには、各固形製剤５を、それぞれ上記した方法により形成する。
【００５８】
図６は、本発明の防蟻構造の他の実施形態（通路が断熱材に配置される形態）を示す側断面図である。
上記においては、固形製剤５が断熱材９に配置され、通路７が基礎コンクリート２（第１基礎３および／または第２基礎４）に配置される形態について説明したが、本発明の防蟻構造においては、固形製剤５または通路７が、基礎コンクリート２に配置されていればよく、例えば、固形製剤５を基礎コンクリート２に配置し、通路７を断熱材９に配置することもできる。
【００５９】
図６において、この防蟻構造１は、第１基礎３および第２基礎４を備える基礎コンクリート２と、固形製剤５と、薬剤を固形製剤５に散布するための通路７とを備えており、固形製剤５が、第１基礎３と第２基礎４との境界に配置され、通路７が、断熱材９に配置されている。また、固形製剤５と通路７とは対向配置されている。
より具体的には、第１基礎３の下端部に、切り欠き部１０が形成され、切り欠き部１０に、また、固形製剤５が配置されている。また、断熱材９の切り欠き部１０と対向する位置に、溝部１６が形成され、溝部１６に、管６が配置されている。
【００６０】
第１基礎３の下端部に切り欠き部１０を形成するには、上記した方法を採用することができる。これにより、切り欠き部１０が、切欠上面１５と切欠側面１４とで区画される。
そして、このように形成された切り欠き部１０には、奥行方向に沿って、固形製剤５が形成される。固形製剤５を形成するには、例えば、形成された切り欠き部１０に、上記した混練物を充填し、硬化させる。
【００６１】
また、断熱材９の溝部１６は、断熱材９の切り欠き部１０と対向する位置において、奥行方向に沿って、断熱材９を断面視矩形状に切り欠くことにより形成されており、溝部１６の底面と、第２基礎４の上面とが面一となるように形成されている。
そして、このように形成された溝部１６には、奥行方向に沿って、管６が配置され、管６により通路７が形成される。
【００６２】
これにより、第１基礎３の下端部において、固形製剤５と通路７とを対向配置させる。
なお、上記した説明においては、固形製剤５は、第１基礎３と第２基礎４との境界に配置されているが、その位置は、特に限定されず、例えば、固形製剤５が、第１基礎３の上端部に配置されていてもよく、また、第２基礎４の下端部に配置されていてもよい。さらには、第１基礎３の上端部、第１基礎３と第２基礎４との境界、および／または、第２基礎４の下端部に、複数配置されていてもよい。なお、そのような形態においては、通路７は、固形製剤５と対向配置するよう、断熱材９の上端部および／または下端部に配置される。
【００６３】
図７は、本発明の防蟻構造の他の実施形態（通路が第１基礎と第２基礎との境界に配置され、固形製剤が第２基礎の上面に配置される形態）を示す側断面図である。
上記においては、固形製剤５と通路７とが、基礎コンクリート２または断熱材９に配置されている形態について説明したが、本発明の防蟻構造においては、固形製剤５または通路７が、基礎コンクリート２に配置されていればよく、例えば、通路７が基礎コンクリート２（第１基礎３と第２基礎４との境界）に配置され、固形製剤５が、基礎コンクリート２に堆積するように配置されていてもよい。
【００６４】
図７において、この防蟻構造１は、第１基礎３および第２基礎４を備える基礎コンクリート２と、固形製剤５と、薬剤を固形製剤５に散布するための通路７とを備えており、通路７が、第１基礎３と第２基礎４との境界に配置され、固形製剤５が、第２基礎４の上面に配置されている。また、固形製剤５と通路７とは対向配置されている。
より具体的には、固形製剤５が、第２基礎４の上面および第１基礎３の内側面にわたって、断面視略三角形状に形成されている。そして、基礎コンクリート２の内側面における第１基礎３の下端部、または、第２基礎４の上端部に、切り欠き部１０が形成され、切り欠き部１０に、管６が配置されている。
【００６５】
まず、図７において実線で示される、通路７が第２基礎４の上端部に形成される形態について説明する。
この実施形態においては、第２基礎４の上端部（すなわち、水平部１１の上端部）を、第１基礎３の内側面に沿って面一に外側の切欠側面１４が形成されるように、断面視矩形状に切り欠くことにより、切り欠き部１０を形成する。これによって、水平部１１の上端部における、第１基礎３の内側面直近に、切り欠き部１０が形成される。また、切り欠き部１０には、管６が配置される。
【００６６】
第２基礎４の上端部に切り欠き部１０を形成するには、上記した方法を採用することができる。これにより、切り欠き部１０が、切欠底面１３と切欠側面１４とで区画される。
この実施形態において、固形製剤５と通路７とを対向配置させるには、まず、切り欠き部１０を形成した第２基礎４、および、第１基礎３を打設し、次いで、切り欠き部１０に管６を配置し、管６により通路７を形成する。その後、第２基礎４の上面に、上記した混練物を、例えば、奥行方向に沿って通路７を被覆する、断面視略三角形状などに施工し、硬化させ、固形製剤５を形成する。これにより、水平部１１の上端部における、第１基礎３の内側面において、固形製剤５と通路７とを対向配置させる。
【００６７】
次に、図７において仮想線で示される、通路７が第１基礎３の下端部に形成される形態について説明する。
この実施形態においては、第１基礎３の下端部、より詳しくは、第１基礎３の下端部の内側に、切り欠き部１０が形成され、切り欠き部１０に、管６が配置されている。
切り欠き部１０は、第１基礎３の下端部において、第１基礎３の内側端部が、奥行方向に沿って、断面視矩形状に切り欠かれることにより形成されている。このように切り欠かれることにより、切り欠き部１０は、切欠上面１５と切欠側面１４とで区画される。
【００６８】
第１基礎３の下端部の内側に切り欠き部１０を形成するには、具体的には、例えば、第１基礎３の打設時において、第１基礎３の下端部の内側に目地棒を設置し、第１基礎３を打設した後、目地棒を除去する。
そして、このように形成された切り欠き部１０には、奥行方向に沿って、管６が配置され、管６により通路７が形成される。
【００６９】
この実施形態において、固形製剤５と通路７とを対向配置させるには、まず、第２基礎４、および、切り欠き部１０を形成した第１基礎３を打設し、次いで、切り欠き部１０に管６を配置し、管６により通路７を形成する。その後、第２基礎４の上面に、上記した混練物を、例えば、奥行方向に沿って通路７を被覆する、断面視略三角形状などに施工し、硬化させ、固形製剤５を形成する。これにより、第１基礎３の下端部の内側において、固形製剤５と通路７とを対向配置させる。
【００７０】
なお、上記した説明では、基礎コンクリート２を、べた基礎形式の形状としたが、例えば、布基礎形式の形状としてもよい。
また、上記した説明では、管６を配置し、管６により通路７を形成したが、通路７を形成することができれば、管６を配置しなくてもよい。なお、図５に記載の防蟻構造においては、好ましくは、第１基礎３の上端部の切り欠き部１０には、管６を配置する。
【００７１】
また、上記した説明では、断熱材９を、第１基礎３の外側面を被覆するように配置したが、第１基礎３の内側面を被覆するように配置することもできる。
また、上記した説明では、外板として断熱材９を用いたが、外板としては、例えば、化粧モルタルを用いることができ、また、化粧モルタルによりコーティングされた断熱材９を用いることもできる。
【００７２】
また、上記した説明では、固形製剤５を、防蟻組成物および硬化液を含有する混練物により形成し、これにより防蟻効果を得たが、例えば、防蟻組成物を含有しないコンクリートなど固まるものを用いてもよいし、シロアリを貫通させない礫などを施工し、シロアリの貫通を阻止できるように構築することもできる。
【産業上の利用可能性】
【００７３】
本発明の防蟻構造は、例えば、べた基礎形式の基礎構造部などにおいて、建物の基礎を防蟻するための防蟻構造として用いることができる。
【図面の簡単な説明】
【００７４】
【図１】本発明の防蟻構造の一実施形態（通路が第１基礎の上端部に配置される形態）を示す部分斜視図である。
【図２】本発明の防蟻構造の一実施形態（通路が第１基礎の上端部に配置される形態）を示す側断面図である。
【図３】本発明の防蟻構造の他の実施形態（通路が第１基礎と第２基礎との境界に配置される形態）を示す側断面図である。
【図４】本発明の防蟻構造の他の実施形態（通路が第２基礎の下端部に配置される形態）を示す側断面図である。
【図５】本発明の防蟻構造の他の実施形態（通路が第１基礎の上端部、第１基礎と第２基礎との境界、および、第２基礎の下端部に配置される形態）を示す側断面図である。
【図６】本発明の防蟻構造の他の実施形態（通路が断熱材に配置される形態）を示す側断面図である。
【図７】本発明の防蟻構造の他の実施形態（通路が第１基礎と第２基礎との境界に配置され、固形製剤が第２基礎の上面に配置される形態）を示す側断面図である。
【符号の説明】
【００７５】
１    防蟻構造
２    基礎コンクリート
３    第１基礎
４    第２基礎
５    固形製剤
６    管
７    通路
８    穴
９    断熱材
１０  切り欠き部
１１  水平部
１２  鉛直部
１３  切欠底面
１４  切欠側面
【図１】
2010037809.tif 000003
【図２】
2010037809.tif 000004
【図３】
2010037809.tif 000005
【図４】
2010037809.tif 000006
【図５】
2010037809.tif 000007
【図６】
2010037809.tif 000008
【図７】
2010037809.tif 000009